(57)【要約】【課題】  カード上の秘密情報を他人に知られる心配がなく、カードの所有者が当該秘密情報を見たい場合には簡単かつ確実に見ることができる、秘密情報保護構造を提供すること。【解決手段】  カード１上に表示されている秘密情報２を覆うように前記カード１上に被覆膜３が形成され、該被覆膜３は、所定値以下の温度で前記秘密情報２を視認不能とし、且つ、前記所定値を超える温度で前記秘密情報２を視認可能とさせるサーモクロミック物質を含む。所定値以下の温度では、被覆膜３によって秘密情報２が視認不能とされるので、他人にカード１を見られても、秘密情報２が他人に知られてしまうことがない。カード１の所有者がカード１上の秘密情報２を見たい場合には、前記被覆膜３に対して前記所定値を超える温度を付与する。これにより、サーモクロミック物質の作用で前記秘密情報２が視認可能となる。【選択図】    図１
2017043064.tif 000002
【特許請求の範囲】
【請求項１】
カード上に表示されている秘密情報を覆うように前記カード上に被覆膜が形成され、該被覆膜は、所定値以下の温度で前記秘密情報を視認不能とし、且つ、前記所定値を超える温度で前記秘密情報を視認可能とさせるサーモクロミック物質を含むことを特徴とする、秘密情報保護構造。
【請求項２】
カード上に表示されている秘密情報を覆うように前記カード上に貼付されるシートであって、前記カードへの接着面を有する透明な基材と、該基材上に形成される被覆膜と、を備え、該被覆膜は、所定値以下の温度で前記秘密情報を視認不能とし、且つ、前記所定値を超える温度で前記秘密情報を視認可能とさせるサーモクロミック物質を含むことを特徴とする、秘密情報保護シート。
【請求項３】
前記サーモクロミック物質は、前記秘密情報が視認不能な状態から視認可能な状態へと一旦変化した後に、元の視認不能な状態へと戻るまでの時間が、少なくとも５分かかるものである、請求項１に記載の秘密情報保護構造又は請求項２に記載の秘密情報保護シート。
【請求項４】
前記被覆膜が第一の部分と第二の部分とからなり、前記第一の部分は、所定値以下の温度で前記秘密情報を視認不能とし、且つ、前記所定値を超える温度で前記秘密情報を視認可能とさせるサーモクロミック物質であって、前記秘密情報が視認不能な状態から視認可能な状態へと一旦変化した後に、元の視認不能な状態へと戻るまでの時間が相対的に短いサーモクロミック物質を含む部分であり、前記第二の部分は、所定値以下の温度で前記秘密情報を視認不能とし、且つ、前記所定値を超える温度で前記秘密情報を視認可能とさせるサーモクロミック物質であって、前記秘密情報が視認不能な状態から視認可能な状態へと一旦変化した後に、元の視認不能な状態へと戻るまでの時間が前記第一の部分よりも長く、少なくとも５分かかるサーモクロミック物質を含む部分である、請求項１に記載の秘密情報保護構造又は請求項２に記載の秘密情報保護シート。
【発明の詳細な説明】
【技術分野】
【０００１】
本発明は、カード上に表示されている秘密情報が他人に見られることを防止する、秘密情報保護構造に関するものである。本発明はまた、前記秘密情報保護構造の構成要素として用いて好適な、秘密情報保護シートに関するものである。
【背景技術】
【０００２】
面上に秘密情報を有するカードの一例として、クレジットカードがある。クレジットカード上には、カード番号、有効期限、名前、セキュリチィーコード（クレジットカードの裏面に書いてある数字の下３桁）等が表示されている。これらの表示事項は、他人に知られてしまうと悪用の危険のある、秘密情報である。前記秘密情報が他人に知られてしまうと、クレジットカード自体は所有者の手元にあるとしても、他人によるネットショッピングが可能となったりして、大きな損害が発生する危険がある。特に、携帯端末で容易に撮影ができるようになっている昨今、盗撮によりクレジットカード上の秘密情報が他人に知られてしまう危険が甚だ大きい。
【０００３】
対策として、クレジットカード上の秘密情報をシールで覆って見えなくしてしまうことが考えられる。しかし、この方法では、クレジットカードの所有者自身が秘密情報を見たい場合に不都合である。
【先行技術文献】
【特許文献】
【０００４】
【特許文献１】実開平４−１５５６８号公報
【発明の概要】
【発明が解決しようとする課題】
【０００５】
本発明は、前記のような事情に鑑みてなされたものであり、カード上の秘密情報を他人に知られる心配がなく、カードの所有者が当該秘密情報を見たい場合には簡単かつ確実に見ることができる、秘密情報保護構造を提供しようとするものである。
【０００６】
本発明はまた、前記秘密情報保護構造の構成要素として用いて好適な秘密情報保護シートを提供しようとするものである。
【課題を解決するための手段】
【０００７】
前記課題を解決するため、本発明に係る秘密情報保護構造は、カード上に表示されている秘密情報を覆うように前記カード上に被覆膜が形成され、該被覆膜は、所定値以下の温度で前記秘密情報を視認不能とし、且つ、前記所定値を超える温度で前記秘密情報を視認可能とさせるサーモクロミック物質を含むことを特徴とする（請求項１）。
【０００８】
本発明においては、カード上の秘密情報が被覆膜で覆われており、この被覆膜は、所定値以下の温度で前記秘密情報を視認不能とするサーモクロミック物質を含む。このため、所定値以下の温度では、他人にカードを見られても、秘密情報が他人に知られてしまうことがない。カードの所有者がカード上の秘密情報を見たい場合には、前記被覆膜に対して前記所定値を超える温度を付与する。これにより、サーモクロミック物質の作用で前記秘密情報が視認可能となる。
【０００９】
なお、前記所定値は、例えば、人の通常の体温より低い、２８乃至３４℃程度であってもよいし、これより高い温度であってもよい。前記所定値が人の通常の体温より低い温度である場合には、前記所定値を超える温度を、人の体温を利用して付与することができるので、特別な熱源を用いることなく簡単に、カードの所有者がカード上の秘密情報を見ることができる。但し、前記所定値が低すぎると、大気温度又は室内温度等によって秘密情報が視認可能となってしまうので、好ましくない。前記所定値が人の通常の体温より高い温度である場合には、熱源として適宜の発熱体を用いることで、カードの所有者がカード上の秘密情報を見ることができる。
【００１０】
本発明に係る秘密情報保護シートは、カード上に表示されている秘密情報を覆うように前記カード上に貼付されるシートであって、前記カードへの接着面を有する透明な基材と、該基材上に形成される被覆膜と、を備え、該被覆膜は、所定値以下の温度で前記秘密情報を視認不能とし、且つ、前記所定値を超える温度で前記秘密情報を視認可能とさせるサーモクロミック物質を含むことを特徴とする（請求項２）。
【００１１】
前記秘密情報保護シートは、前記基材の接着面をカードの秘密情報が覆われるように貼付して使用する。前記秘密情報保護シートをカードに貼付すると、カード上の秘密情報が被覆膜で覆われる。この被覆膜は、所定値以下の温度前記秘密情報を視認不能とするサーモクロミック物質を含む。このため、所定値以下の温度では、他人にカードを見られても、秘密情報が他人に知られてしまうことがない。カードの所有者がカード上の秘密情報を見たい場合には、前記被覆膜に対して前記所定値を超える温度を付与する。これにより、サーモクロミック物質の作用で前記秘密情報が視認可能となる。
【００１２】
好適な実施の一形態として、前記サーモクロミック物質は、前記秘密情報が視認不能な状態から視認可能な状態へと一旦変化した後に、元の視認不能な状態へと戻るまでの時間が、少なくとも５分かかるものである態様を例示する（請求項３）。この実施の形態によれば、秘密情報が元の視認不能な状態に戻るまでに時間がかかるので、例えば店で店員にカードを手渡した後に当該店員が被覆膜に熱を加えることで秘密情報を盗み見した場合でも、所有者の手元にカードが戻されたときに、秘密情報を見られてしまったことが所有者に分かる。よって、秘密情報の悪用を未然に防止することができる。
【００１３】
好適な実施の一形態として、前記被覆膜が第一の部分と第二の部分とからなり、前記第一の部分は、所定値以下の温度で前記秘密情報を視認不能とし、且つ、前記所定値を超える温度で前記秘密情報を視認可能とさせるサーモクロミック物質であって、前記秘密情報が視認不能な状態から視認可能な状態へと一旦変化した後に、元の視認不能な状態へと戻るまでの時間が相対的に短いサーモクロミック物質を含む部分であり、前記第二の部分は、所定値以下の温度で前記秘密情報を視認不能とし、且つ、前記所定値を超える温度で前記秘密情報を視認可能とさせるサーモクロミック物質であって、前記秘密情報が視認不能な状態から視認可能な状態へと一旦変化した後に、元の視認不能な状態へと戻るまでの時間が前記第一の部分よりも長く、少なくとも５分かかるサーモクロミック物質を含む部分である態様を例示する（請求項４）。
【００１４】
この実施の形態によれば、前記第二の部分において、秘密情報が元の視認不能な状態に戻るまでに時間がかかるので、例えば店で店員にカードを手渡した後に当該店員が被覆膜に熱を加えることで秘密情報を盗み見した場合でも、所有者の手元にカードが戻されたときに、前記第二の部分の作用によって、秘密情報を見られてしまったことが所有者に分かる。よって、秘密情報の悪用を未然に防止することができる。
【図面の簡単な説明】
【００１５】
【図１】本発明の実施の一形態に係る秘密情報保護構造の斜視図である。
【図２】図１の秘密情報保護構造の分解斜視図である。
【図３】秘密情報保護シートの一部の拡大断面図である。
【図４】他の実施の形態による秘密情報保護シートの一部の拡大断面図である。
【発明を実施するための形態】
【００１６】
以下、添付図面を参照して、本発明の実施の形態について説明する。
【００１７】
図１及び図２に示すように、本発明の実施の一形態に係る秘密情報保護構造は、カード１上に表示されている秘密情報２を覆うように前記カード１上に被覆膜３が形成され、該被覆膜３は、所定値以下の温度で前記秘密情報２を視認不能とし、且つ、前記所定値を超える温度で前記秘密情報２を視認可能とさせるサーモクロミック物質を含むことを特徴とする。前記被覆膜３は、前記カード１上に直接塗布する等の方法で形成することもできる。しかし、図２に示すように、被覆膜３を有する秘密情報保護シート４を前記カード１に貼付する態様とすると、カード１の所有者が、必要に応じてカード１上に被覆膜３を容易に設けることができるので、好適である。
【００１８】
前記カード１は、一例としてクレジットカードである。クレジットカードの表面上には、カード番号２ａ、有効期限２ｂ、名前２ｃ等が表示されている。また、図示してはいないが、クレジットカード１の裏面上には、四桁と三桁の数字が表示されており、このうち三桁の数字はセキュリティーコードと言われている。クレジットカード１上の前記のような表示事項は、他人に知られてしまうと悪用の危険のある、秘密情報２である。前記カードの典型例は現時点ではクレジットカードであるが、これに限る趣旨ではなく、他人に見られたくない秘密情報を外面に有するカードであれば本発明の適用対象となり得る。
【００１９】
既に述べたように、図２の例は、秘密情報保護シート４をカード１上に貼付する態様である。秘密情報保護シート４は、図３に示すように、カード１への接着面５ａを有する透明な基材５と、該基材５上に形成される被覆膜３と、を備え、該被覆膜３は、所定値以下の温度で前記秘密情報２を視認不能とし、且つ、前記所定値を超える温度で前記秘密情報２を視認可能とさせるサーモクロミック物質を含んでいる。
【００２０】
なお、前記所定値は、例えば、人の体温よりやや低い、３５℃程度であってもよいし、これより高い温度であってもよい。これに対応して、被服膜３に対して付与する、所定値を超える温度は、人の体温で付与できる程度の温度（３６℃程度）であってもよいし、適宜の発熱体を用いて付与できる、人の体温よりも高い温度であってもよい。
【００２１】
前記基材５としては、透明で柔軟な肉薄のプラスチックシートを用いる。図３に示すように、前記基材５の表面にサーモクロミック物質（サーモクロミックインク）を塗布する等の方法によって前記被覆膜３が形成され、前記基材５の裏面がカードへの接着面５ａとなる。接着面５ａ上には接着剤層６が形成され、この接着剤層６は剥離可能なカバー７で覆われている。該カバー７を剥離した後に、図２に示すように、接着剤層６をカードに接着させることにより、秘密情報２が被覆膜３で覆われる。
【００２２】
秘密情報保護シート４において、前記接着剤層６と前記カバー７は必須のものではない。すなわち、接着剤層６とカバー７を省略した秘密情報保護シートも使用可能である。この場合、基材５の裏面（接着面５ａ）に適宜の接着剤を塗布することにより、秘密情報保護シートをカード１上に貼付すればよい。
【００２３】
図１及び図２の例では、カード番号２ａのみを秘密情報保護シート４で覆っているが、必要に応じて他の秘密情報２ｂ，２ｃも秘密情報保護シート４で覆うことにより、秘密情報２の保護の万全を図ることができる。
【００２４】
本実施の形態では、カード１上の秘密情報２が被覆膜３で覆われており、この被覆膜３は、所定値以下の温度で前記秘密情報２を視認不能とするサーモクロミック物質を含む。このため、所定値以下の温度では、他人にカード１を見られても、秘密情報２が他人に知られてしまうことがない。カード１の所有者がカード１上の秘密情報２を見たい場合には、前記被覆膜３に対して前記所定値を超える温度を付与する。これにより、サーモクロミック物質の作用で前記秘密情報２が視認可能となる。
【００２５】
なお、前記所定値は、例えば、人の通常の体温より低い、２８乃至３４℃程度であってもよいし、これより高い温度であってもよい。前記所定値が人の通常の体温より低い温度である場合には、前記所定値を超える温度を、人の体温を利用して付与することができるので、特別な熱源を用いることなく簡単に、カードの所有者がカード上の秘密情報を見ることができる。但し、前記所定値が低すぎると、大気温度又は室内温度等によって秘密情報が視認可能となってしまうので、好ましくない。前記所定値が人の通常の体温より高い温度である場合には、熱源として適宜の発熱体を用いることで、カードの所有者がカード上の秘密情報を見ることができる。
【００２６】
他の実施の形態として、前記サーモクロミック物質は、前記秘密情報２が視認不能な状態から視認可能な状態へと一旦変化した後に、元の視認不能な状態へと戻るまでの時間が、少なくとも３分、好ましくは少なくとも５分、より好ましくは少なくとも１０分かかるものである態様とすることもできる。この実施の形態によれば、秘密情報２が元の視認不能な状態に戻るまでに時間がかかるので、例えば店で店員にカードを手渡した後に当該店員が被覆膜３に熱を加えることで秘密情報２を盗み見した場合でも、所有者の手元にカード１が戻されたときに、秘密情報２を見られてしまったことが所有者に分かる。よって、秘密情報の悪用を未然に防止することができる。
【００２７】
同様の効果は、次の実施の形態によっても実現可能である。すなわち、図４に示すように、前記被覆膜３が第一の部分３ａと第二の部分３ｂとからなる態様である。この場合、前記第一の部分３ａは、所定値以下の温度で前記秘密情報２を視認不能とし、且つ、前記所定値を超える温度で前記秘密情報２を視認可能とさせるサーモクロミック物質であって、前記秘密情報２が視認不能な状態から視認可能な状態へと一旦変化した後に、元の視認不能な状態へと戻るまでの時間が相対的に短いサーモクロミック物質を含む部分である。一方、前記第二の部分３ｂは、所定値以下の温度で前記秘密情報２を視認不能とし、且つ、前記所定値を超える温度で前記秘密情報２を視認可能とさせるサーモクロミック物質であって、前記秘密情報２が視認不能な状態から視認可能な状態へと一旦変化した後に、元の視認不能な状態へと戻るまでの時間が前記第一の部分３ａよりも長く、少なくとも３分、好ましくは少なくとも５分、より好ましくは少なくとも１０分かかるサーモクロミック物質を含む部分である。
【００２８】
この実施の形態によれば、第一の部分３ａと第二の部分３ｂの双方が所定値以下の温度で秘密情報２を視認不能とするサーモクロミック物質を含むので、所定値以下の温度では、他人にカード１を見られても、秘密情報２が他人に知られてしまうことがない。カード１の所有者がカード１上の秘密情報２を見たい場合には、前記被覆膜３に対して前記所定値を超える温度を付与する。これにより、サーモクロミック物質の作用で前記秘密情報２が視認可能となる。
【００２９】
また、前記実施の形態では、前記第二の部分３ｂにおいて、秘密情報２が元の視認不能な状態に戻るまでに時間がかかるので、例えば店で店員にカードを手渡した後に当該店員が被覆膜３に熱を加えることで秘密情報２を盗み見した場合でも、所有者の手元にカードが戻されたときに、前記第二の部分３ｂの作用によって、秘密情報２を見られてしまったことが所有者に分かる。よって、秘密情報２の悪用を未然に防止することができる。
【００３０】
なお、図４に示す秘密情報保護シート４において、被服膜３以外の構成は、図３に示すものと同じである。
【符号の説明】
【００３１】
１    カード
２    秘密情報
３    被覆膜
３ａ  第一の部分
３ｂ  第二の部分
４    秘密情報保護シート
【図１】
2017043064.tif 000003
【図２】
2017043064.tif 000004
【図３】
2017043064.tif 000005
【図４】
2017043064.tif 000006